(57)【要約】      （修正有）【課題】余計な物品の設置数量が減少し、メーター装置の内部空間が節約され、運転者にとって鮮明で見やすくなり、全体的な美観も向上するメーター装置の改良構造を提供する。【解決手段】メーター装置の改良構造は、台座１１及び上蓋１２を含み、上蓋は台座の上端に設置され、上蓋の底面には少なくとも１つの記号１２２が刻印される。台座にはこれら記号に対応する箇所に少なくとも１つの対応する穴が設けられ、穴には発光ユニットが内設され、発光ユニットが発光すると、記号が上蓋に表示される。【選択図】図１
0003208991.tif 000002
【実用新案登録請求の範囲】
【請求項１】
台座及び前記台座の上端に設置される上蓋を含むメーター装置の改良構造であって、
前記上蓋の底面には少なくとも１つの記号が刻印されることを特徴とする、
メーター装置の改良構造。
【請求項２】
前記台座はこれら前記記号に対応する箇所に少なくとも１つの対応する穴が設けられ、且つこれら前記対応する穴には発光ユニットが内設され、これら前記発光ユニットが発光すると、これら前記記号が前記上蓋に表示されることを特徴とする、請求項１に記載のメーター装置の改良構造。
【請求項３】
前記上蓋は射出成形で形成されることを特徴とする、請求項２に記載のメーター装置の改良構造。
【請求項４】
前記上蓋にはインサート成形方式が採用されて前記台座の上端に結合されることを特徴とする、請求項３に記載のメーター装置の改良構造。
【請求項５】
前記上蓋はポリメタクリル酸メチル樹脂（ＰＭＭＡ）材質で製造されることを特徴とする、請求項１乃至４の何れか１項に記載のメーター装置の改良構造。
【請求項６】
前記上蓋は透光材質で製造されることを特徴とする、請求項１乃至４の何れか１項に記載のメーター装置の改良構造。
【請求項７】
前記台座はプラスチック材質で製造されることを特徴とする、請求項１乃至４の何れか１項に記載のメーター装置の改良構造。
【請求項８】
これら前記記号の外形は円形であることを特徴とする、請求項１または２に記載のメーター装置の改良構造。
【請求項９】
これら前記記号の外形は多辺形であることを特徴とする、請求項１または２に記載のメーター装置の改良構造。
【考案の詳細な説明】
【技術分野】
【０００１】
本考案は、メーター装置に関し、より詳しくは、バイクのメーター装置に応用される上蓋の底面に複数の記号が刻印されると共に台座に結合されるメーター装置の改良構造に関する。
【背景技術】
【０００２】
交通手段の種類は多く、中でもバイクは価格が低く、且つ機動性が高く、駐停車しやすいため、多くの人が自分で歩く代わりにバイクを日常的に使用している。また、バイクの方向転換機構の前方にはメーター装置が配設され、且つ表示ユニットには速度、燃料量、エンジン回転速度等の走行情報が表示される。
【考案の概要】
【考案が解決しようとする課題】
【０００３】
しかしながら、前述した従来のメーター装置は、多くの場合透明な蓋体が台座の上方に結合され、運転者が前記透明な蓋体を通してメーター装置の表示ユニットに表示される走行情報を見られるようになっている。このため、車両の運転状態がはっきり分かり、バイクの運転に利する。しかし、運転者が車両の運転状態をよりよく理解できるようにするために、表示ユニットに表示される走行情報が日増しに複雑になっており、製造コストが高騰しているほか、運転者が情報を混同したり、誤認することがあり、且つ美観も悪くなった。
【０００４】
本考案者は上記の欠点が改善可能と考え、鋭意検討を重ねた結果、空間を有効利用でき、且つ美観も向上するメーター装置の改良構造を設計し、従来の技術の欠点を改善させ、さらに産業上の利用価値を高める。
【０００５】
本考案は、以上の従来技術の課題を解決する為になされたものである。即ち、本考案は、上蓋の底面には複数の記号が刻印されると共に台座に結合され、余計な物品の設置数量が減少され、前記メーター装置の内部空間が節約され、且つ運転者とこれら前記記号との距離が近くなり、運転者が見やすくなる上に、全体的な美観も向上する、自動二輪車に応用されるメーター装置の改良構造を提供することを目的とする。
【課題を解決するための手段】
【０００６】
上述した課題を解決し、目的を達成するための本考案に係るメーター装置の改良構造は、台座及び前記台座の上端に設置される上蓋を備える。前記上蓋の底面には少なくとも１つの記号が刻印される。
【０００７】
本考案のメーター装置の改良構造において、好ましくは、前記台座はこれら前記記号に対応する箇所に少なくとも１つの対応する穴が設けられ、且つこれら前記対応する穴には発光ユニットが内設され、これら前記発光ユニットが発光すると、これら前記記号が前記上蓋に表示される。
【０００８】
本考案のメーター装置の改良構造において、好ましくは、前記上蓋は射出成形で形成される。
【０００９】
本考案のメーター装置の改良構造において、好ましくは、前記上蓋にはインサート成形方式が採用されて前記台座の上端に結合される。
【００１０】
本考案のメーター装置の改良構造において、好ましくは、前記上蓋はポリメタクリル酸メチル樹脂（ＰＭＭＡ）材質で製造される。
【００１１】
本考案のメーター装置の改良構造において、好ましくは、前記上蓋は透光材質で製造される。
【００１２】
本考案のメーター装置の改良構造において、好ましくは、前記台座はプラスチック材質で製造される。
【００１３】
本考案のメーター装置の改良構造において、好ましくは、これら前記記号の外形は円形である。
【００１４】
本考案のメーター装置の改良構造において、好ましくは、これら前記記号の外形は多辺形である。
【図面の簡単な説明】
【００１５】
【図１】本考案の好ましい実施形態によるメーター装置の改良構造を示す外観斜視図である。
【図２】本考案の好ましい実施形態によるメーター装置の改良構造を示す展開図である。
【図３】図１のＡ―Ａ線に沿う断面図である。
【図４】本考案の他の実施形態によるメーター装置の改良構造を示す外観斜視図である。
【考案を実施するための形態】
【００１６】
以下、図面を参照して、本考案を実施するための形態について、詳細に説明する。なお、本考案は、以下に説明する実施形態に限定されるものではない。
【実施例】
【００１７】
まず、本実施形態を図１〜４に基づいて説明する。本考案のメーター装置の改良構造１０は、台座１１及び前記台座１１の上端に設置される上蓋１２を備える。前記上蓋１２の底面１２１には少なくとも１つの記号１２２が刻印され、且つこれら前記記号１２２の外形は円形または多辺形である（例えば、矩形、台形、五角形、六角形等）（図１乃至図４参照）。
【００１８】
また、前記台座１１はこれら前記記号１２２に対応する箇所に少なくとも１つの対応する穴１１１が設けられ、且つこれら前記対応する穴１１１には全て発光ユニット１１２が内設される。これら前記発光ユニット１１２が発光すると、これら前記記号１２２が前記上蓋１２に表示される。これら前記発光ユニット１１２はＬＥＤライトである。
【００１９】
前記上蓋１２は、先ずポリメタクリル酸メチル樹脂（Ｐｏｌｙｍｅｔｈｙｌｍｅｔｈａｃｒｙｌａｔｅ、ＰＭＭＡ）または透光材質により射出成形で製造される。成形後に、前記上蓋１２の底面１２１にはインクでこれら前記記号１２２が印刷される。その後、前記底面１２１にこれら前記記号１２２が刻印される上蓋１２がモジュール中に設置され、且つインサート成形方式が採用されて前記台座１１の上端に結合される。前記台座１１はプラスチック材質で製造される。
【００２０】
上述したように、本考案はバイクに応用されるメーター装置の改良構造を確実に提供する。上蓋の底面には複数の記号が刻印されると共に台座に結合され、余計な物品の設置数量が減少される。例えば、複数の表示領域に区分され、表示効果を向上させる装飾板や他の固定部材の数量が減少され、前記メーター装置の内部空間が節約される。また、運転者とこれら前記記号との距離が近くなり、運転者が見やすくなる。これら前記記号の外形が統一されているため、全体的な美観も向上する。
【００２１】
上述の実施形態は本考案の技術思想及び特徴を説明するためのものにすぎず、当該技術分野を熟知する者に本考案の内容を理解させると共にこれをもって実施させることを目的とし、本考案の請求の範囲を限定するものではない。従って、本考案の精神を逸脱せずに行う各種の同様の効果をもつ改良又は変更は、後述の請求項に含まれるものとする。
【符号の説明】
【００２２】
１０    メーター装置の改良構造
１１    台座
１１１  対応する穴
１１２  発光ユニット
１２    上蓋
１２１  底面
１２２  記号
【図１】
0003208991.tif 000003
【図２】
0003208991.tif 000004
【図３】
0003208991.tif 000005
【図４】
0003208991.tif 000006